(57)【要約】【課題】講演時間の管理を補助するプロジェクタ装置１０を提供する。【解決手段】画像を投影するプロジェクタ装置１０であって、投影画像を投影し続けるべき目標時間を格納する目標時間格納部１１０と、投影画像を投影する投影部１０６と、投影画像の切り替えを検知する切替検知部１０８と、切替検知部１０８が投影画像の切り替えを検知するタイミングを基に、投影部１０６が投影画像を投影している経過時間を計測する時間計測部２０２と、経過時間と目標時間との関係により、所定の条件で、利用者に対する通知を行う通知部２０４とを備える。【選択図】図２
2005173147.tif 000002
【特許請求の範囲】
【請求項１】
画像を投影するプロジェクタ装置であって、
投影画像を投影し続けるべき目標時間を格納する目標時間格納部と、
前記投影画像を投影する投影部と、
前記投影画像の切り替えを検知する切替検知部と、
前記切替検知部が前記投影画像の切り替えを検知するタイミングを基に、前記投影部が前記投影画像を投影している経過時間を計測する時間計測部と、
前記経過時間と前記目標時間との関係により、所定の条件で、利用者に対する通知を行う通知部と
を備えるプロジェクタ装置。
【請求項２】
前記経過時間が前記目標時間に近づいた場合、前記通知部は、前記利用者に対する第１の通知を行い、
前記経過時間が前記目標時間を越えた場合、前記通知部は、前記利用者に対する第２の通知を行う請求項１に記載のプロジェクタ装置。
【請求項３】
前記投影部は、複数の前記投影画像のそれぞれを順次投影し、
前記目標時間格納部は、前記複数の投影画像のそれぞれに対応する前記目標時間を格納し、
前記時間計測部は、前記複数の投影画像のそれぞれに対応して、当該投影画像の投影が開始されてからの前記経過時間を計測し、
前記プロジェクタ装置は、前記目標時間格納部に格納された前記目標時間を変更する目標時間変更部であって、いずれかの前記投影画像についての前記経過時間が当該投影画像に対応する前記目標時間に対して差異があった場合に、当該投影画像より後に投影されるべき前記投影画像に対応する前記目標時間を、前記差異に応じて調整する目標時間変更部を更に備える請求項１に記載のプロジェクタ装置。
【請求項４】
前記投影画像における各画素の画素値を指定する映像信号に応じて、前記投影部は前記投影画像を投影し、
前記切替検知部は、前記映像信号が駆動されない期間を検出することにより、前記投影画像の切り替えを検知する請求項１に記載のプロジェクタ装置。
【請求項５】
前記目標時間を設定して、前記目標時間格納部に格納させる目標時間設定部であって、前記切替検知部が前記投影画像の切り替えを検知した場合に、前記投影部が投影している前記投影画像に対応する前記目標時間として、前記時間計測部から受け取る前記経過時間を設定する目標時間設定部を更に備える請求項１に記載のプロジェクタ装置。
【請求項６】
予め設定された通知用画像を格納する通知用画像格納部を更に備え、
前記通知部が前記通知を行う場合、前記投影部は、前記通知用画像を、前記投影画像に重畳させて投影する請求項１に記載のプロジェクタ装置。
【請求項７】
前記投影部により投影される前記投影画像よりも明るいポインタ光を発光するポインタ発光部と、
前記通知部が前記通知を行う場合に、前記ポインタ光を、前記投影画像に重畳させる重畳処理部と
を更に備える請求項１に記載のプロジェクタ装置。
【請求項８】
画像を投影する投影方法であって、
投影画像を投影し続けるべき目標時間を格納し、
前記投影画像を投影し、
前記投影画像の切り替えが検知されるタイミングを基に、前記投影画像を投影している経過時間を計測し、
前記経過時間と前記目標時間との関係により、所定の条件で、利用者に対する通知を行う
投影方法。
【発明の詳細な説明】
【技術分野】
【０００１】
本発明は、プロジェクタ装置及び投影方法に関する。
【背景技術】
【０００２】
従来、プロジェクタ装置がＰＣ（パーソナルコンピュータ）から独立し、ターミナルとしての機能を高めていくプラットフォームコンセプトが知られている（例えば、非特許文献１参照）。このプラットフォームコンセプトにおいて、プロジェクタ装置は、例えばメモリカードに格納された画像データに基づき、投影画像を投影する。また、プロジェクタ装置は、例えば講演を行う利用者の指示に応じて、投影画像を投影する。
【非特許文献１】エプソン  ビジネス  プロジェクター  総合カタログ、インターネット  ＜ＵＲＬ：http://www2.i-love-epson.co.jp/catalogue/elp/IMG0003007-0.PDF＞
【発明の開示】
【発明が解決しようとする課題】
【０００３】
講演においては、講演時間が予め定められている場合がある。この場合、利用者が講演時間を越えて講演を行うと、講演会場における後のスケジュールに影響を及ぼす場合がある。そのため、プロジェクタ装置には、講演時間の管理を補助する機能が望まれている。
【０００４】
そこで本発明は、上記の課題を解決することができるプロジェクタ装置及び投影方法を提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態においては、画像を投影するプロジェクタ装置であって、投影画像を投影し続けるべき目標時間を格納する目標時間格納部と、投影画像を投影する投影部と、投影画像の切り替えを検知する切替検知部と、切替検知部が投影画像の切り替えを検知するタイミングを基に、投影部が投影画像を投影している経過時間を計測する時間計測部と、経過時間と目標時間との関係により、所定の条件で、利用者に対する通知を行う通知部とを備える。これにより、講演等を行っている利用者に対して、経過時間を知らせることができる。
【０００６】
上記プロジェクタ装置において、経過時間が目標時間に近づいた場合、通知部は、利用者に対する第１の通知を行い、経過時間が目標時間を越えた場合、通知部は、利用者に対する第２の通知を行ってもよい。これにより、経過時間が目標時間を超えるのに先立って、利用者に対して、警告を行うことができる。
【０００７】
上記プロジェクタ装置において、投影部は、複数の投影画像のそれぞれを順次投影し、目標時間格納部は、複数の投影画像のそれぞれに対応する目標時間を格納し、時間計測部は、複数の投影画像のそれぞれに対応して、当該投影画像の投影が開始されてからの経過時間を計測し、プロジェクタ装置は、目標時間格納部に格納された目標時間を変更する目標時間変更部であって、いずれかの投影画像についての経過時間が当該投影画像に対応する目標時間に対して差異があった場合に、当該投影画像より後に投影されるべき投影画像に対応する目標時間を、当該差異に応じて調整する目標時間変更部を更に備えてもよい。これにより、経過時間が目標時間を越えた場合に、その後の目標時間を修正することができる。
【０００８】
上記プロジェクタ装置において、投影画像における各画素の画素値を指定する映像信号に応じて、投影部は投影画像を投影し、切替検知部は、映像信号が駆動されない期間を検出することにより、投影画像の切り替えを検知する。これにより、投影画像の切り替えを、適切に検知できる。
【０００９】
上記プロジェクタ装置において、目標時間を設定して、目標時間格納部に格納させる目標時間設定部であって、切替検知部が投影画像の切り替えを検知した場合に、投影部が投影している投影画像に対応する目標時間として、時間計測部から受け取る経過時間を設定する目標時間設定部を更に備えてもよい。これにより、目標時間の初期設定を行うことができる。
【００１０】
上記プロジェクタ装置において、予め設定された通知用画像を格納する通知用画像格納部を更に備え、通知部が通知を行う場合、投影部は、通知用画像を、投影画像に重畳させて投影してもよい。これにより、利用者に対し、高い確実性をもって、通知を行うことができる。
【００１１】
上記プロジェクタ装置において、投影部により投影される投影画像よりも明るいポインタ光を発光するポインタ発光部と、通知部が通知を行う場合に、ポインタ光を、投影画像に重畳させる重畳処理部とを更に備えてもよい。これにより、利用者に対し、高い確実性をもって、通知を行うことができる。
【００１２】
本発明の第２の形態においては、画像を投影する投影方法であって、投影画像を投影し続けるべき目標時間を格納し、投影画像を投影し、投影画像の切り替えが検知されるタイミングを基に、投影画像を投影している経過時間を計測し、経過時間と目標時間との関係により、所定の条件で、利用者に対する通知を行う。これにより、これにより、第１の形態と同様の効果を得ることができる。
【００１３】
なお、上記の発明の概要は、本発明の必要な特徴の全てを列挙したものではなく、これらの特徴群のサブコンビネーションもまた、発明となりうる。
【発明を実施するための最良の形態】
【００１４】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１５】
図１は、本発明の一実施形態に係るプロジェクタ装置１０の概要を説明する図である。本例において、プロジェクタ装置１０は、液晶プロジェクタ装置である。また、本例は、講演時間の管理を補助するプロジェクタ装置１０の提供を目的とする。
【００１６】
プロジェクタ装置１０は、装着されたメモリカード３０から、利用者２０の指示に応じて、画像データを読み出す。そして、プロジェクタ装置１０は、読み出した画像データに基づく投影画像を、スクリーン４０に投影する。また、プロジェクタ装置１０は、利用者２０からの次の指示に応じて、次の画像データをメモリカード３０から読み出し、この画像データに基づく投影画像を投影する。これにより、プロジェクタ装置１０は、投影画像を順次切り替える。ここで、利用者２０は、例えば、プロジェクタ装置１０を用いて講演を行う講演者である。また、それぞれの投影画像は、例えば、講演に用いる一枚のスライドの内容を示す画像である。投影画像は、一枚のスライドに対応付けられたアニメーション等を含んでもよい。
【００１７】
本例において、プロジェクタ装置１０は、投影画像を切り替える毎に、新たな投影画像の投影を開始してからの経過時間を計測する。また、プロジェクタ装置１０は、順次投影すべき複数の投影画像のそれぞれに対応付けて、目標時間を格納している。目標時間は、対応する投影画像を投影し続けるべき時間である。そして、投影中の投影画像についての経過時間が、その投影画像に対応する目標時間を超えた場合、プロジェクタ装置１０は、スクリーン４０の一部に通知用画像５０を投影する。これにより、プロジェクタ装置１０は、利用者２０に、時間超過の通知を行う。
【００１８】
そのため、本例によれば、例えば、利用者２０が、いずれかのスライドの説明を、予定の時間を超えて行った場合に、進行の遅れを、利用者２０に気づかせることができる。また、これにより、講演時間を適切に管理することができる。本例によれば、講演時間の管理を補助するプロジェクタ装置１０を、提供することができる。
【００１９】
図２は、プロジェクタ装置１０の構成の一例を、メモリカード３０とともに示す。メモリカード３０は、複数の画像データを格納しており、プロジェクタ装置１０に、取外し可能に装着される。複数の画像データのそれぞれは、プロジェクタ装置１０により投影されるべき投影画像を示す。また、本例において、プロジェクタ装置１０は、切替検知部１０８、メモリカードスロット１１６、通知用画像格納部１０２、目標時間格納部１１０、映像信号生成部１０４、投影部１０６、及び投影時間管理部１１２を備える。
【００２０】
切替検知部１０８は、例えば利用者２０からの指示を受け取るインターフェース部であり、利用者２０から、投影画像の切り替え指示を受け取る。これにより、切替検知部１０８は、投影画像の切り替えを検知する。そして、切り替えを検知した場合、切替検知部１０８は、その旨を、映像信号生成部１０４及び投影時間管理部１１２に通知する。他の例において、切替検知部１０８は、例えば投影部１０６が受け取る映像信号に基づき、投影画像の切り替えを検知してもよい。メモリカードスロット１１６は、メモリカード３０を保持するスロットであり、メモリカード３０に対する信号の入出力を行う。
【００２１】
通知用画像格納部１０２は、予め設定された通知用画像５０（図１参照）を格納するメモリである。本例において、通知用画像格納部１０２は、通知用画像と異なる警告用画像を更に格納する。警告用画像は、例えば、投影画像が投影されてからの経過時間が目標時間に近づいた場合に投影されるべき画像である。また、目標時間格納部１１０は、複数の投影画像のそれぞれに対応付けて、目標時間を格納する。
【００２２】
映像信号生成部１０４は、メモリカードスロット１１６に保持されたメモリカード３０から、画像データを読み出す。そして、映像信号生成部１０４は、その画像データに基づく映像信号を生成して、投影部１０６に供給する。これにより、映像信号生成部１０４は、投影部１０６に、投影画像を投影させる。映像信号生成部１０４は、映像信号として、例えば、投影画像における各画素の画素値を指定するＲＧＢ信号を生成する。
【００２３】
また、映像信号生成部１０４は、利用者２０による投影画像の切り替え指示を、切替検知部１０８から受け取る。そして、この指示を受け取る毎に、映像信号生成部１０４は、次の画像データを、メモリカード３０から読み出す。そして、映像信号生成部１０４は、この画像データに基づく映像信号を、投影部１０６に供給する。これにより、映像信号生成部１０４は、利用者２０の指示に応じて、投影画像を順次切り替える。
【００２４】
ここで、本例において、映像信号生成部１０４は、更に、投影時間管理部１１２の指示に応じて、警告用画像又は通知用画像５０を、投影部１０６に投影させる。この場合、映像信号生成部１０４は、例えば、投影時間管理部１１２の指示に応じて、通知用画像格納部１０２から、警告用画像を読み出す。そして、映像信号生成部１０４は、警告用画像を重畳させた投影画像を示す映像信号を生成して、投影部１０６に供給する。また、同様にして、映像信号生成部１０４は、投影時間管理部１１２の指示に応じて、通知用画像５０を重畳させた投影画像を示す映像信号を、投影部１０６に供給する。
【００２５】
投影部１０６は、光源、液晶パネル、及び光学系を有しており、光源からの光を透過する液晶パネルに表示された投影画像を、光学系により、スクリーン４０に投影する。この場合、液晶パネルは、映像信号生成部１０４から受け取る映像信号に応じて、投影画像を表示する。そのため、投影部１０６は、映像信号生成部１０４が順次出力する映像信号に応じて、複数の投影画像のそれぞれを、順次投影する。また、映像信号生成部１０４が、投影画像と、警告用画像又は通知用画像５０とを重畳させた映像信号を出力する場合、投影部１０６は、この映像信号に応じて、警告用画像又は通知用画像５０を、投影画像に重畳させて投影する。この場合、利用者２０が注目しているスクリーン４０上に、警告用画像及び／又は通知用画像５０を表示することにより、警告用画像及び／又は通知用画像５０を、利用者２０に、確実に認識させることができる。また、これにより、例えば講演時間の超過を、講演者に、確実に知らせることができる。
【００２６】
投影時間管理部１１２は、利用者２０による投影画像の切り替え指示を、切替検知部１０８から受け取る。そして、投影時間管理部１１２は、投影画像が切り替えられる毎に、その投影画像の投影が開始されてからの経過時間を計測する。そして、計測した経過時間と、その投影画像に対応する目標時間との差が、所定の時間より小さくなった場合、投影時間管理部１１２は、警告用画像を投影部１０６に投影させる指示を、映像信号生成部１０４に与える。これにより、投影部１０６は、経過時間が目標時間に近づいた場合に、警告用画像を投影する。そのため、本例によれば、経過時間が目標時間を超えるのに先立って、利用者２０に対して、警告を行うことができる。
【００２７】
また、経過時間が目標時間を超えた場合、投影時間管理部１１２は、通知用画像５０を投影部１０６に投影させる指示を、映像信号生成部１０４に与える。これにより、投影部１０６は、経過時間が目標時間を越えた場合に、通知用画像５０を投影する。本例によれば、時間超過に対する警告及び通知を、利用者２０に、適切に行うことができる。また、これにより、講演時間を適切に管理することができる。
【００２８】
尚、他の例において、映像信号生成部１０４は、例えば外部のコンピュータ等から、例えばＬＡＮ（Ｌｏｃａｌ  Ａｒｅａ  Ｎｅｔｗｏｒｋ）等を介して、画像データを受け取ってもよい。また、映像信号生成部１０４は、画像データに代えて、投影画像を示す映像信号を、外部のコンピュータ等から受け取ってもよい。この場合、映像信号生成部１０４は、外部から受け取る映像信号に、警告用画像又は通知用画像５０を重畳させて、新たな映像信号を生成してよい。
【００２９】
図３は、投影時間管理部１１２の構成の一例を示す。本例において、投影時間管理部１１２は、時間計測部２０２、通知部２０４、目標時間設定部２０８、及び目標時間変更部２０６を有する。
【００３０】
時間計測部２０２は、投影画像の投影が開始されてからの経過時間を計測する。この場合、切替検知部１０８が投影画像の切り替えを検知するのに応じて、時間計測部２０２は、その投影画像についての経過時間の計測を開始する。そして、切替検知部１０８が次の投影画像への切り替えを検知するまでの間、時間計測部２０２は、その投影画像についての経過時間を計測する。そして、切替検知部１０８が、次の投影画像への切り替えを検知するのに応じて、時間計測部２０２は、次の投影画像について、経過時間の計測を開始する。
【００３１】
これにより、切替検知部１０８が投影画像の切り替えを検知するタイミングを基に、時間計測部２０２は、複数の投影画像のそれぞれに対応して、投影部１０６（図２参照）がその投影画像を投影している経過時間を計測する。そして、時間計測部２０２は、計測した経過時間を、例えば一定時間毎に、通知部２０４に通知する。また、例えば投影時間管理部１１２が目標時間を初期設定する場合、時間計測部２０２は、経過時間を、目標時間設定部２０８に通知する。
【００３２】
通知部２０４は、投影部１０６により投影されている投影画像について計測された経過時間を時間計測部２０２から受け取り、その投影画像に対応する目標時間を目標時間格納部１１０から受け取る。そして、経過時間が目標時間を越えた場合に、通知部２０４は、映像信号生成部１０４に、その旨を通知する。これにより、通知部２０４は、経過時間と目標時間との関係により、所定の条件で、利用者に対する通知を行う。また、この場合、映像信号生成部１０４は、通知用画像５０（図１参照）を重畳させた投影画像を示す映像信号を出力する。そして、投影部１０６は、この映像信号に応じて、投影画像に重畳させて、通知用画像５０を投影する。これにより、通知部２０４は、複数の投影画像のうちのいずれかについての経過時間がその投影画像に対応する目標時間を超えた場合に、時間超過を知らせる通知を、利用者に対して行う。そして、通知部２０４が通知を行う場合、投影部１０６は、通知用画像５０を、投影画像に重畳させて投影する。これにより、講演等を行っている利用者２０に対して、高い確実性をもって、経過時間を知らせることができる。
【００３３】
尚、本例において、通知部２０４は、この通知を、目標時間変更部２０６に更に与える。また、経過時間と目標時間との差が、所定の時間より小さくなった場合、通知部２０４は、警告用画像を投影部１０６に投影させる指示を、映像信号生成部１０４に与える。
【００３４】
目標時間設定部２０８は、目標時間格納部１１０が目標時間を格納していない場合に、目標時間の初期設定を行う。そして、目標時間設定部２０８は、設定した目標時間を、目標時間格納部１１０に格納させる。目標時間設定部２０８は、例えば、利用者２０による講演において投影画像が切り替えられるタイミングに基づき、目標時間の初期設定を行う。本例において、時間計測部２０２は、切替検知部１０８が投影画像の切り替えを検出した場合に、目標時間を設定する。この場合、例えば、切替検知部１０８が切り替えを検出するのに応じて、目標時間設定部２０８は、時間計測部２０２から経過時間を受け取る。そして、目標時間設定部２０８は、受け取った経過時間を、投影部１０６が投影している投影画像に対応する目標時間として設定する。本例によれば、目標時間の初期設定を、適切に行うことができる。
【００３５】
目標時間変更部２０６は、通知部２０４から受け取る通知に応じて、目標時間格納部１１０に格納された目標時間を変更する。例えば、目標時間変更部２０６は、いずれかの投影画像についての経過時間がその投影画像に対応する目標時間を越えた場合に、その投影画像より後に投影されるべき投影画像に対応する目標時間を短縮する。これにより、経過時間が目標時間に対して差異があった場合に、目標時間変更部２０６は、その差異に応じて、その後の目標時間を調整する。目標時間変更部２０６は、経過時間と目標時間との差がより大きい場合に、その後の目標時間を、より短縮してよい。これにより、経過時間が目標時間を越えた場合に、その後の目標時間を修正することができる。そのため、本例によれば、利用者が行う講演の時間を、適切に管理できる。
【００３６】
尚、本例において、目標時間変更部２０６は、講演の残り時間と、超過した時間とに応じて、変更対象の目標時間に掛け合わせるべき１より小さな係数を算出する。そして、目標時間変更部２０６は、変更対象の目標時間と、この係数とを掛け合わせることにより、短縮された新たな目標時間を算出する。他の例において、目標時間変更部２０６は、それぞれの目標時間から一定の時間を減じることにより、目標時間を短縮してもよい。
【００３７】
図４は、プロジェクタ装置１０の動作の一例を示すフローチャートである。本例において、目標時間が初期設定されており（Ｓ１０２  Ｙｅｓ）、目標時間格納部１１０が目標時間を格納している場合、切替検知部１０８が投影画像の切り替えを検知すると（Ｓ１０４  Ｙｅｓ）、時間計測部２０２は、経過時間の初期化を行う（Ｓ１０６）。これにより、投影画像が切り替えられる毎に、時間計測部２０２は、新たな経過時間の計測を開始する。
【００３８】
また、Ｓ１０４において、切替検知部１０８が、投影画像の切り替えを検知しない場合（Ｓ１０４  Ｎｏ）、時間計測部２０２は、初期化を行わずに、経過時間の計測を継続する。そして、投影部１０６が投影している投影画像に対応する目標時間を、経過時間が越えた場合（Ｓ１０８）、通知部２０４は、映像信号生成部１０４に、通知用画像５０を重畳させた投影用画像の映像信号を出力させる（Ｓ１１０）。この場合、投影部１０６は、この映像信号に応じて、通知用画像５０が重畳された投影画像を投影する（Ｓ１１２）。これにより、通知部２０４は、時間超過の通知を、利用者２０に行う。そして、例えば一定の時間に渡って投影部１０６が投影画像を投影した後、Ｓ１０４に戻り、以降の動作を繰り返す。本例によれば、順次投影されるそれぞれの投影画像に対し、利用者２０による講演時間を、適切に管理することができる。
【００３９】
ここで、Ｓ１０８において、目標時間を経過時間が越えていない場合（Ｓ１０８  Ｎｏ）、通知部２０４は、利用者２０に対する警告を行うべきか否かを判断する（Ｓ１１４）。本例において、通知部２０４は、目標時間と経過時間との差が、予め定められた閾値以下である場合に、警告を行うべきと判断する。そして、警告を行う必要があると判断した場合（Ｓ１１４  Ｙｅｓ）、通知部２０４は、映像信号生成部１０４に、警告用画像を重畳させた投影用画像の映像信号を出力させる（Ｓ１１６）。この場合、投影部１０６は、この映像信号に応じて、警告用画像が重畳された投影画像を投影する（Ｓ１１２）。これにより、時間超過が生じるおそれに対する事前の警告を、利用者２０に行うことができる。また、Ｓ１１４において、警告を行う必要がないと判断した場合（Ｓ１１４  Ｎｏ）、映像信号生成部１０４は、投影用画像の映像信号を出力する。投影部１０６は、この映像信号に応じて、投影画像を投影する（Ｓ１１２）。
【００４０】
以上に説明したように、本例において、経過時間が目標時間に近づいた場合、通知部２０４は、利用者２０に対する１回目の通知として、事前の警告を行う。そして、経過時間が目標時間を越えた場合、通知部２０４は、利用者に対する２回目の通知として、時間超過の通知を行う。そのため、本例によれば、経過時間を、利用者２０に、適切に通知できる。
【００４１】
尚、Ｓ１０２において、目標時間格納部１１０が目標時間を格納していない場合（Ｓ１０２  Ｎｏ）、プロジェクタ装置１０は、目標時間の初期設定を行う。この場合、最初に、時間計測部２０２は、経過時間の初期化を行い、新たな経過時間の計測を開始する（Ｓ１２０）。そして、投影部１０６は投影画像を投影する（Ｓ１２２）。この場合、切替検知部１０８が投影画像の切り替えを検出しない間（Ｓ１２４  Ｎｏ）、投影部１０６は、投影画像を投影し続ける（Ｓ１２２）。
【００４２】
そして、切替検知部１０８が投影画像の切り替えを検知した場合（Ｓ１２４  Ｙｅｓ）、目標時間設定部２０８は、目標時間を設定する（Ｓ１２６）。この場合、投影画像の切り替えが検出されるのに応じて、目標時間設定部２０８は、時間計測部２０２から、経過時間を取得する。そして、目標時間設定部２０８は、取得した経過時間を、投影されている投影画像に対応する目標時間として、目標時間格納部１１０に格納させる。
【００４３】
これにより、目標時間設定部２０８は、例えば、利用者２０が１回目の講演を行う場合に、この講演において投影画像が切り替えられるタイミングに応じて、目標時間を設定する。そして、利用者２０が２回目以降の講演を行う場合、１回目の講演において初期設定された目標時間を用いて、通知部２０４は、経過時間と目標時間とを比較する。本例によれば、目標時間の初期設定を、適切に行うことができる。
【００４４】
図５は、切替検知部１０８の動作の他の例を説明する図である。本例において、切替検知部１０８は、映像信号生成部１０４から受け取る映像信号に基づき、投影信号の切り替えを検出する。また、映像信号生成部１０４は、映像信号として、それぞれ各画素の赤色成分、緑色成分、及び青色成分の大きさを示すＲ信号、Ｇ信号、及びＢ信号を、一定周期の同期信号と同期させて出力する。
【００４５】
この場合、映像信号生成部１０４は、投影部１０６に投影画像を投影させる投影期間において、Ｒ信号、Ｇ信号、及びＢ信号を駆動する。また、投影画像の切り替えを行う切替期間において、映像信号生成部１０４は、Ｒ信号、Ｇ信号、及びＢ信号を駆動せずに、一定の信号レベルに保つ。そのため、切替期間において、切替検知部１０８は、駆動されていない映像信号を受け取る。
【００４６】
そして、切替検知部１０８は、映像信号が駆動されない期間を検出することにより、投影画像の切り替えを検知する。そのため、本例によれば、利用者２０からの指示を直接に受け取ることなく、切替検知部１０８は、投影画像の切り替えを検知できる。また、これにより、例えば、利用者２０からの投影画像の切り替え指示をプロジェクタ装置１０が直接に受け取らない場合であっても、切替検知部１０８は、投影画像の切り替えを、適切に検出できる。
【００４７】
図６は、プロジェクタ装置１０の構成の他の例を、メモリカード３０とともに示す。本例において、プロジェクタ装置１０は、切替検知部１０８、メモリカードスロット１１６、映像信号生成部１０４、投影部１０６、目標時間格納部１１０、投影時間管理部１１２、ポインタ発光部１２０、及び重畳処理部１２２を備える。尚、以下に説明する点を除き、図６において、図２と同じ符号を付した構成は、図２における構成と同一又は同様の機能を有するため説明を省略する。
【００４８】
本例において、映像信号生成部１０４は、投影画像を示す映像信号を生成して、投影部１０６に与える。また、ポインタ発光部１２０は、経過時間が目標時間を超えた場合に、投影時間管理部１１２の指示に応じて、投影部１０６により投影される投影画像よりも明るいポインタ光を発光する。このポインタ光は、例えばレーザ光であってよい。重畳処理部１２２は、例えば光学系を用いて、ポインタ光を、スクリーン４０（図１参照）に向けて照射する。これにより、重畳処理部１２２は、通知部２０４（図３参照）が通知を行う場合に、ポインタ光を、投影画像に重畳させる。本例においても、利用者２０に対して、高い確実性をもって、経過時間を知らせることができる。
【００４９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５０】
【図１】プロジェクタ装置１０の概要を説明する図である。
【図２】プロジェクタ装置１０の構成の一例を示す図である。
【図３】投影時間管理部１１２の構成の一例を示す図である。
【図４】プロジェクタ装置１０の動作の一例を示すフローチャートである。
【図５】切替検知部１０８の動作の他の例を説明する図である図である。
【図６】プロジェクタ装置１０の構成の他の例を示す図である。
【符号の説明】
【００５１】
１０・・・プロジェクタ装置、２０・・・利用者、３０・・・メモリカード、４０・・・スクリーン、５０・・・通知用画像、１０２・・・通知用画像格納部、１０４・・・映像信号生成部、１０６・・・投影部、１０８・・・切替検知部、１１０・・・目標時間格納部、１１２・・・投影時間管理部、１１６・・・メモリカードスロット、１２０・・・ポインタ発光部、１２２・・・重畳処理部、２０２・・・時間計測部、２０４・・・通知部、２０６・・・目標時間変更部、２０８・・・目標時間設定部
【図１】
2005173147.tif 000003
【図２】
2005173147.tif 000004
【図３】
2005173147.tif 000005
【図４】
2005173147.tif 000006
【図５】
2005173147.tif 000007
【図６】
2005173147.tif 000008